(57)【要約】【課題】高所作業車に乗ってのキャップ被着または電柱を登って柱上作業による被着でも、簡単にかつ安全に被着することができる。【解決手段】コンクリート柱Ｐの頂部に被着する合成樹脂製のキャップ１であって、天板２に間接把持具Ａで把持される軸杆部５を設ける。軸杆部５の頭部に間接ハンマーＢで打ち込める打撃部６を形成する。胴部３の外面に間接挟持具Ｃで挟持される突片８を一体に取付ける。胴部３の外周面に設けた鍔部９に間接フックＤを引っ掛ける長孔１２を穿設する。胴部３の内周面の複数箇所に複数個の突条１３を突設する。【選択図】　　　　図４
0003097781.tif 000002
【実用新案登録請求の範囲】
【請求項１】
コンクリート柱の頂部に被着する合成樹脂製のキャップであって、天板に間接把持具で把持される軸杆部を設け、その軸杆部の頭部に間接ハンマーで打ち込める打撃部を形成し、胴部の外面に間接挟持具で挟持される突片を一体に取付けると共に、胴部の外周面に設けた鍔部に間接フックを引っ掛ける長孔を穿設し、かつ胴部の内周面の複数箇所に複数個の突条を突設したことを特徴とするコンクリート柱頭部キャップ。
【請求項２】
軸杆部は天板の中心部に突設してあり、その頭部を拡大頭部として打撃部に形成し、間接ハンマーで叩打しても破損しないように軸杆部の内面側を補強リブで補強されている請求項１に記載のコンクリート柱頭部キャップ。
【請求項３】
突片は略梯形状で斜め上向きに傾斜して一体に取付けられている請求項１または２に記載のコンクリート柱頭部キャップ。
【請求項４】
鍔部に設けた長孔は突片の反対側面の周方向に複数個形成されている請求項１、２、３のいずれか一に記載のコンクリート柱頭部キャップ。
【考案の詳細な説明】
【０００１】
【考案の属する技術分野】
本考案は、コンクリート柱の頂部に被着するキャップに関するもので、さらに詳しくは、高所作業車による被着または柱上作業による被着でも可能なコンクリート柱頭部キャップに関するものである。
【０００２】
【従来の技術】
従来、コンクリート製の電柱は、長い期間が経過していくうちに頂部のモルタルが劣化してひび割れが発生し、そのひび割れは月日の経時と共に次第に大きくなり、ついには破損してモルタルの破片が落下し、下を通行する歩行者や車両に当ると大きな事故になるおそれがあった。
【０００３】
そのような事故を未然に防ぐ為に、従来からコンクリート電柱の頂部に合成樹脂製のキャップを被着することが行われている。そのキャップは、例えば、地震や台風等が発生してコンクリート電柱が大きく揺れても、外れたり、飛び抜けたりすることがないよう電柱の頂部と緊密に嵌合するようになっている。
【０００４】
すなわち、キャップ本体の内周面に係止突条を設けてコンクリート電柱の頂部外面と係止するようにしてある。そのようなキャップとしては、例えば、キャップの内周面に断面楔形の突条を水平状に複数条周設したキャップ（特許文献１参照）。または、キャップの内周面に下面開口縁に対して傾斜する傾斜突条を複数本突設し、該傾斜突条間に下面開口縁に略平行な水平突条を設けたキャップ（特許文献２参照）などが提供されている。
【０００５】
【特許文献１】
実公昭６３−２４２０８号公報（第２頁３欄３１〜３６行目、図４〜図５）
【特許文献２】
実公平４−５２３５８号公報（第２頁３欄５〜１２行目、図１）
【０００６】
【考案が解決しようとする課題】
しかしながら、前記特許文献１のキャップは、間接工具を用いて電柱の頂部に被せるものではなく、キャップ本体を手で持ち、開口部を電柱の頂部に当てがって周側壁を電柱外側面に沿わせ、そのまま押圧することにより被着させるものであり、電柱には高圧電線が張設されているので感電する危険性があり、給電を停止しない限り安全なキャップ被着作業を行うことができない。しかし、停電させると各方面に多大な迷惑をかけることになり、近年では停電による工事はできなくなっているのが現状である。
【０００７】
前記特許文献２のキャップは、間接工具を用いて電柱に被せるので停電することなく安全に作業はできるが、被着させるのに図１０に示すような間接工具を用いている。すなわち、操作棒２２の上端部を略直角方向にキャップ支持体２３を延設し、そのキャップ支持体２３から操作棒２２と略平行で、かつ、操作棒２２の下端部側に向けて吸着盤２４を設け、その吸着盤２４を基準としてキャップ支持体２３の長手方向の少なくとも一側位置で、操作棒２２の下端側に向けて下端が横軸心２５ａを持つ棒状体のキャップ押さえ体２５を設けたものである。
【０００８】
そして、コンクリート電柱の頂部にキャップ２１を被着するのには、高所作業車でコンクリート電柱の頂部近くに接近し、あるいは電柱の頂部近くまで登っての柱上作業で、キャップ２１の頭部外面を吸着盤２４に吸着させ、操作棒２２を持上げて、キャップ２１をコンクリート電柱の頂部の上方から被せ、操作棒２２を引き下げて嵌めこむのであるが、この際、キャップ２１を、吸着盤２４と下端が横軸心２５ａを持つ棒状体で接地面の多いキャップ押さえ体２５とで互いに押さえ込み合いながら嵌入させている。
【０００９】
しかし、この間接工具による被着は、吸着盤２４によって、キャップ２１を吸着するから、吸着盤２４を常に正しい姿勢でキャップ２１に当接しなければ吸着できず、吸着作業を慎重にする必要があって非常に面倒であった。また、コンクリート電柱の頂部に被着するのにも、吸着盤２４とキャップ押さえ体２５との押さえ込みだけによる嵌合であるから、容易にかつスムーズに嵌めこむことができず、長い時間がかかり作業効率が悪いなどの問題点があった。
【００１０】
本考案は、このような問題を解決することを課題として研究開発されたものであって、高所作業車に乗ってのキャップ被着または電柱を登って柱上作業による被着でも、簡単にかつ安全に被着することができるコンクリート柱頭部キャップを提供することを目的とするものである。
【００１１】
【課題を解決するための手段】
上記の課題を解決し、その目的を達成するために、本考案は、コンクリート柱の頂部に被着する合成樹脂製のキャップであって、天板に間接把持具で把持される軸杆部を設け、その軸杆部の頭部に間接ハンマーで打ち込める打撃部を形成し、胴部の外面に間接挟持具で挟持される突片を一体に取付けると共に、胴部の外周面に設けた鍔部に間接フックを引っ掛ける長孔を穿設し、かつ胴部内周面の複数箇所に複数個の突条を突設したことを特徴とするコンクリート柱頭部キャップを開発し、採用した。
【００１２】
また、本考案は、上記のように構成したコンクリート柱頭部キャップにおいて、軸杆部は天板の中心部に突設してあり、その頭部を拡大頭部として打撃部に形成し、間接ハンマーで叩打しても破損しないように軸杆部の内面側を補強リブで補強されているコンクリート柱頭部キャップ、および突片は略梯形状で斜め上向きに傾斜して一体に取付けられているコンクリート柱頭部キャップ、および鍔部に設けた長孔は突片の反対側面の周方向に複数個形成されているコンクリート柱頭部キャップを開発し、採用した。
【００１３】
【考案の実施の形態】
以下に、本考案における実施の形態を添付図面に基づいて説明すれば、１はポリエチレン樹脂からなるキャップ本体であり、このキャップ本体１は雪が降っても積雪し難いように、また鳥が止まり難いように比較的傾斜度のきつい天板２に形成し、冠雪による雪害事故や鳥が止まることに起因する短絡事故を防止しており、その天板２の外周縁から下方に向かってやや拡がる円筒状の胴部３とを一体的に形成し、その下端を開口部４に形成されている。
【００１４】
５は天板２の中心部で上方に垂直に突出する中空円筒状の軸杆部で、その軸杆部５は、間接把持具Ａの先端部の把持部Ａ’によって把持され、その長さは把持Ａ’の厚みより長くなっていると共に、その軸杆部５の先端部を拡大頭部として間接ハンマーＢの打撃部６に形成してある。すなわち、図４に示すように、軸杆部５の中空部の内面側に長さ方向に延びる十字状の補強リブ７を設けて叩打しても破損しないようになっている。また、この軸杆部５は、仮に鴉や鳩などが天板２に止まろうとしても、障害物となるようになっている。
【００１５】
８は胴部３の一側面で胴部３に対して斜め上向きに傾斜して一体的に取付けた略梯形状の突片であり、その突片８の表面を間接挟持具Ｃの挟持部Ｃ’で挟持した時に、滑らないように加工が施されている。
【００１６】
９は胴部３の下端部の外周面に設けた鍔部で、前記突片８の反対側の鍔部９の周方向に複数個の膨出部１０を設け、受止片１１によって受け止められており、その膨出部１０に長孔１２を穿設して間接フックＤの引っ掛け部になっている。この鍔部９は前述の長孔１２を穿設するだけのものではなく、キャップ本体１の下端部の補強も兼ね備えていると共に、キャップ本体１を外す必要が生じた場合の手掛けにもなる。
【００１７】
１３は胴部３の内面の前後面と両側面に周方向および深さ方向に一定間隔で複数個設けた突条群であり、この突条群１３は下段の突条１３ａが方形状に形成され、２〜４段目の突条１３ｂ，１３ｃ，１３ｄが円形に形成されている。そして、下段の突条１３ａの下半分を胴部周壁３に対して傾斜面１３ａ’に形成し、２段目の突条１３ｂと共に、コンクリート柱Ｐに嵌入時のガイド部になり、３段目と４段目の突条１３ｃ、１３ｄがコンクリート柱Ｐの先端外周部と緊密に係合するように胴部３の内周面と平行に突出している。
【００１８】
このように構成した実施の形態によるキャップ本体１の使用状態を作用、効果と共に説明すると、高所作業車が通行できる場所に立設されているコンクリート柱Ｐにキャップ本体１を被着するには、高所作業車を上昇させてコンクリート柱Ｐの頂部近くまで接近させ、図５に示すように、間接把持具Ａを横方向から把持部Ａ’を水平状態にして軸杆部５を把持する。この時、図６に示すように、把持部Ａ’の上面が軸杆部５の拡大頭部の段部５ａに当接するように把持し、ロックすればキャップ本体１が滑り落ちることがない。
【００１９】
そして、間接把持具Ａで把持されたキャップ本体１をコンクリート柱Ｐの頂部上方に位置させ、開口部４を頭部に合わせて被せる。この時、キャップ本体１を真っ直ぐに被せられなかったとしても、間接把持具Ａで完全に把持されていることから、何度でもやり直すことができる。そして、真っ直ぐに被ると、図７に示すように、間接ハンマーＢで打撃部６を叩くのであるが、打撃部６が拡大頭部になっているから、叩きやすく失敗することがなくなると共に、軸杆部５が天板２の中心部にあるから、打撃力がそのままキャップ本体１に伝わり真っ直ぐ下方に降りスムーズに被せることができる。また、完全に被着されたか、の確認は間接ハンマーＢの打撃力の手応えあるいは打撃音で確認することができる。さらに、間接ハンマーＢで打ちつけても、軸杆部５は十字状の補強リブ７で補強されているので破損することがない。打ち込みが完了すると、胴部３の内周面の突条群１３がコンクリート柱Ｐの頭部外周面と緊密に係合するので、地震や強風などで揺れたとしても、外れたり飛び抜けたりすることがない。
【００２０】
また、仮に高所作業車が通行できない狭い場所に立設されているコンクリート柱Ｐにキャップ本体１を被着するには、コンクリート柱Ｐの頂部近くまで登っての柱上作業になる。すなわち、図８に示すように、斜め下方から挟持具Ｃの挟持部Ｃ’で突片８を挟持するのであるが、突片８は上向きに傾斜しているので下方から挟持しやすくなり、挟持した状態でコンクリート柱Ｐの頂部上方に位置させて被せる。
【００２１】
つぎに、図９に示すように、鍔部９に設けた長孔１２に間接フックＤを引っ掛け、その間接フックＤを押し下げる。長孔１２は複数個穿設されているので、間接フックＤの引っ掛ける長孔１２を変えながら押し下げていけばよく、また反対側の突片８に引っ掛けてもよい。そうすることにより偏ることなく左右同じように被せる事ができて被着が完全になる。
【００２２】
以上、本考案の主要な実施の形態について説明したが、本考案は上記実施の形態に限定されるものではなく、本発明の目的を達成でき、且つ本考案の要旨を逸脱しない範囲内で種々の設計変更が可能である。
【００２３】
【考案の効果】
以上のように、本考案に係る請求項１に記載のコンクリート柱頭部キャップによれば、間接把持具と間接ハンマーとで高所作業車に乗ってのキャップの被着作業が可能になり、特に間接ハンマーによる打ち込みで嵌合するから、その嵌合がより簡単で確実となる。また、高所作業車が通行できない場所のコンクリート柱のキャップ被着作業は、柱上作業で間接挟持具と間接フックを用いれば被着作業ができ、高所作業車や柱上作業どちらでもできる至便性があり、しかも感電のおそれがなく極めて安全に被着作業ができる。
【００２４】
また、請求項２に記載のコンクリート柱頭部キャップによれば、前記請求項１の効果に加えて、間接ハンマーによる打撃力がキャップ本体の中心部に加えられるので、片寄ることなくそのまま真っ直ぐ打ち込むことができ、かつ、打ち込みの失敗がなくなると共に補強されているので損傷しない。
【００２５】
さらに、請求項３に記載のコンクリート柱頭部キャップによれば、前記請求項１および２の効果に加えて、斜め下方から間接挟持具での挟持が容易になり、コンクリート柱頂部まで把持したまま確実に持っていくことができ、スムーズに被せる事ができる。
【００２６】
また、請求項４に記載のコンクリート柱頭部キャップによれば、前記請求項１、２および３の効果に加えて、間接フックにより引っ掛ける長孔を変えながら下方に引張れば確実に被着でき、偏ることなく真っ直ぐに被せる事ができる。
【図面の簡単な説明】
【図１】本考案のキャップの側面図である。
【図２】そのキャップの平面図である。
【図３】そのキャップの底面図である。
【図４】図２のＡ−Ａ線断面図である。
【図５】間接把持具で軸杆部を把持する状態の平面図である。
【図６】間接把持具で軸杆部を把持する状態の側面図である。
【図７】間接ハンマーで軸杆部を叩打する状態の側面図である。
【図８】間接挟持具で突片を挟持する状態の側面図である。
【図９】間接フックで長孔および突片に引っ掛ける状態の側面図である。
【図１０】従来の間接工具の側面図である。
【符号の説明】
１　　キャップ本体
２　　天板
３　　胴部
５　　軸杆部
６　　打撃部
７　　補強リブ
８　　突片
９　　鍔部
１２　　長孔
Ａ　　間接把持具
Ｂ　　間接ハンマー
Ｃ　　間接挟持具
Ｄ　　間接フック
【図１】
0003097781.tif 000003
【図２】
0003097781.tif 000004
【図３】
0003097781.tif 000005
【図４】
0003097781.tif 000006
【図５】
0003097781.tif 000007
【図６】
0003097781.tif 000008
【図７】
0003097781.tif 000009
【図８】
0003097781.tif 000010
【図９】
0003097781.tif 000011
【図１０】
0003097781.tif 000012